(57)【要約】      （修正有）【課題】  簡単な構成で、魚には抵抗が少なく、魚のあたりを容易に判断可能とする。【解決手段】  魚釣りに際して釣糸１７が釣用うき１０の下部の最底部の重り１６からパイプ１４と釣糸通し孔１５の上部に通されて水面に浮いた状態で、うき本体１１を発泡玉の丸型を使用し、又その上部に４枚で十文字型の発泡樹脂フイン２０を円形にし、最底の中心に穴あき丸型重り１６を固定する事で、釣用うき１０を安定させる。釣用うき１０を発泡玉の丸型の形状にすることによって、魚が釣糸１７をわずかでも引くと、この釣用うき１０が最大９０度回転し、釣用うき１０の水面上に現れている大きい色が消えるおよび色が変わる。なお、釣用うき１０の黒色部分の上位に半球の形状のステンレスカゴを固定し、えさのコマセとあたりうきを兼備出来る。従来の釣用うきとは逆使用で釣用うき１０の最底部から釣糸１７を上部に通して使用する。【選択図】図１
2005046130.tif 000002
【特許請求の範囲】
【請求項１】
水面上で消えるおよび水面上で色の変わる事を特徴としている釣用うきである
【請求項２】
小型では遠距離では見えにくい欠点があり、本体は高感度に製造を可能にし、出来る限り、本体は大型に造れる事を特徴としている釣用うきである。
【請求項３】
本体はえさのコマセとあたりうきを兼備出来る事を特徴としている釣用うきである。
【請求項４】
ハードな釣具としての使用対応を考えて、浮力と強度から発泡ブライト中通玉の底部に好適重りを有し、発泡ブライト中通玉の中通部分に約１．５倍の長さのパイプを通して、玉の上部のパイプに４枚の円形のフインを取付けて本体の素形の完成ではある。フインは発泡樹脂を使用する事で本体をより大きく造れる事と視認性をより良くし、軽量化と高感度化を可能にした。その本体に逆光に強い、蛍光塗料ＵＮＩで着色後、液体透明樹脂のＮ．Ｔ．エポキシコートで少し厚く、コオーティング仕上げで釣用うきの完成である。使用方法は従来の釣用うきとは逆使用で、本体の底部から釣糸を上部に通して使用する事を特徴とする釣用うきである。
【発明の詳細な説明】
【発明の詳細な説明】
【技術分野】
【０００１】  本発明は水面上で消えるおよび水面上で色の変わる事を特徴としている釣用うきの製造法に関する。
【従来の技術と課題】
【０００２】  従来、魚釣りに用いる浮きは、その浮きに通された釣糸の針に、魚がかかった場合、釣糸を通して魚の動きが浮きに伝わり、浮きの上下等の動きによって、魚のあたりを知るものである。また、この浮きの視認性を良くした浮きとして、実開平４−１２０４７７号公報に開示されているように、楕円球状の浮きの長軸方向が水平になるように浮く浮きがある。また、特開平９−２７５８６６号公報に開示されているように、魚釣りに際して釣糸が通されて水面に浮かべられる魚釣用浮きにおいて、頂上部に釣糸を挿通する挿通部が形成された、流線型で頂上部は赤色に着色され、底部には黄色で着色されて、フレキシブルな取付部材を介して重りが設けられている、その浮きに通された釣糸の針に魚がかかった場合、その浮きは１８０度回転する釣用浮きがある。
【０００３】  上記従来の技術の前者の場合、浮きはその浮力の中心が浮きの重心よりも鉛直方向上方にあり、魚による糸の引き方向は鉛直方向下方の成分を有するものであるとともに、この浮きに釣糸から作用する力の作用部は、釣糸に張力がかかる前から重心よりも下方に位置しているため、浮きは浮いている姿勢のまま魚に引かれて水中に没する。従って、魚のあたりを、浮きの突没を見て判断しなければならないが、通常水面は波立っており、浮きが確実に魚に引かれて水没したのか単に波や揺れによって没しているのかは、即座に判断はできず、その区別が難しいという問題があった。さらに、釣り人はその浮きを凝視しているだけで目が疲れるという問題もあった。
【０００４】  また、上記従来の技術の後者の場合、浮き本体の構造上、底部の重りを水中より空中の頂上部へ１８０度回転させる為その時大きな力が必要で有るという問題も有り、又、浮きのあたりを重要視とその時の浮きの視認性を良くする事を重要視する余り、浮き本体を頂上部は赤色、底部は良く見える黄色に着色して本体を製造されたが、通常水面で使用されるのは、頂上部の見える赤色で有ります。赤色の浮きは特に夕方や雲の下の日陰では黒い炉に見える為浮きが見にくい上に、釣り人はその浮きを凝視せざる為目が疲れるという問題もあった。
【課題を解決するための手段】
【０００５】  本発明者は鋭意検討の結果、水面上で消えるおよび水面上で色の変わる事と本体は高感度に製造を可能にし、出来る限り、大型に造れる事と本体はえさのコマセとあたりうきを兼備出来る事と、本体は浮力と強度から発泡ブライト中通玉の底部に好適重りを有し、発泡ブライト中通玉の中通部分に約１．５倍の長さのパイプを好適重りの中から最上部まで通して、本体の発泡玉の上部につき出ているパイプに円形をしたフインを最上部より４枚を発泡玉の上に十字型に取付けると本体の素形の完成ではある。その本体に逆行に強い、蛍光塗料ＵＮＩで水面上で消えるうきでは発泡玉の半分の下部分を黒色にし、残り上部分は黄色、橙色あるいは赤色系統の塗料が塗布された、色の変わるうきでは下部分の黒色を上部分の反対の色に変更するだけで良い、本体はウレタンかエポキシの液体透明樹脂でコオーティング仕上げする事で釣用うきの完成である。使用方法は従来の釣用うきとは逆使用で本体の底部から釣糸を上部に通して使用し、魚のあたりがあると上部が水面上で９０度回転する、水面上で消えるおよび水面上で色が変わる事を特徴とした釣用うきの製造法を発明し完成させた。
【発明を実施するための最良の形態】
【０００６】  以下この発明は一実施の形態について図面を基にして説明する。
図１はこの発明の釣用うきの第一実施形態を示すもので、この実施形態の釣用うき▲１０▼は、円球玉型と４枚のフイン▲２０▼と発泡樹脂や木、中空部材等により形成され、釣糸▲１７▼が側面中心部のうき本体▲１１▼の底部より釣糸挿通部である回転可能なパイプ▲１４▼と釣糸通し孔▲１５▼の頂上部に通されて水面に浮かべられる釣用うき▲１０▼である。この釣用うき▲１０▼は水面上で消えるうきでは、発泡玉の半分の下部分を黒色▲１３▼と残りフイン▲２０▼を含んだ上部分は黄色▲１２▼に表面が例えば塗り分けられ、水面上で色の変わるうきでは黒色▲１３▼が上部分の黄色▲１２▼の反対の色に変更するだけで良い、さらに、うき本体▲１１▼の発泡ブライト中通玉の中通部分に約１．５倍の長さのパイプ▲１４▼を通して、最底部には穴あき丸型重り▲１６▼にもパイプ▲１４▼を通して固定され、残り上部分には発泡樹脂のフイン▲２０▼を４枚をパイプ▲１４▼に取付けて、釣用うき▲１０▼の中心にパイプ▲１４▼を貫通させて釣糸通し孔▲１５▼を作成して、仕上げにウレタンかエポキシの液体透明樹脂で少し厚く、コオーティングすると水面上で消えるおよび水面上で色の変わる釣用うき▲１０▼の完成である。【０００７】  釣糸▲１７▼には先端側に重り▲１６▼が固定され、さらにその先端部に釣り針▲２０▼が取り付けられている、また、この実施形態では、釣糸▲１７▼に、所定長さで釣用うき▲１０▼の釣糸通し孔▲１５▼に引き掛かる大きさのうき止め小球▲１８▼のストッパーである浮き止め▲１９▼が取り付けられている。【０００８】  この釣用うき▲１０▼は、図１（Ａ）に示すように、水面に浮いた状態で釣糸▲１７▼に重り▲１６▼の釣糸▲１７▼の以外の張力がかかっていない状態では、その釣用うき▲１０▼の最底部に重り▲１６▼は固定されているので釣用うき▲１０▼は安定して浮いている。【０００９】  次に、この釣糸▲１７▼に魚が食いついて引くと、図１（Ｂ）に示すように釣糸▲１７▼に張力がかかり、力の作用で水面下に引っ張られる。この時、釣用うき▲１０▼の浮力によりこの釣用うき▲１０▼は図１（Ａ）の姿勢のまま水面下に沈み込むことなく、浮力の中心が力の作用でこの釣用うき▲１０▼が最小の９０度回転し、水面下にあった黒色が水面上にあらわれると同時にうきの良く見えている上部の色が消える。この回転に必要な釣糸▲１７▼の張力は、重心の移動に必要な力だけであるので、きわめてわずかなものであり、魚にはほとんど感じない程度のものである。【００１０】  この実施形態の釣用うき▲１０▼によれば、魚が釣糸▲１７▼をわずかでも引くと、この釣用うき▲１０▼がそのわずかな力で回転して釣用うき▲１０▼の水面上に現れている色が消えるおよび色が変わり、確実且つ容易にあたりを視認する事が可能になった。
また、重り▲１６▼はシンプルに最底部にしっかりと固定されているので、波による、釣用うき▲１０▼の揺れに対して製振作用が働き、揺れが小さいものである。【００１１】  この実施形態の釣用うき▲１０▼によれば、従来の釣用うきは小型では遠距離では見えにくい欠点があり、釣用うき▲１０▼は高感度に製造を可能にし、出来る限り、釣用うき▲１０▼は大型に造れる事を特徴としている釣用うき▲１０▼である。まず、うき本体▲１１▼を発泡玉として、最底部に重り▲１６▼を固定した事によって最小の重り▲１６▼で大型の物体を水面上に安定させる事を可能にした。大型の物体を発泡玉とした事で水面上でかるく回転し、超高感度化させる事が可能になった。４枚のフイン▲２０▼を発泡樹脂にした事で釣用うき▲１０▼の軽量化と視認性を大きく良くする事に成功した。そして逆転の発想で画期的な構造の釣用うき▲１０▼である。使用方法は従来の釣用うきとは逆使用で釣用うき▲１０▼の底部から釣糸▲１７▼を上部に通して使用する事で、水面上で消えるおよび水面上で色が変わることを特徴とする釣用うき▲１０▼を完成させたのである。【００１２】  この実施形態の釣用うき▲１０▼によれば、釣用うき▲１０▼はえさのコマセとあたりうきを兼備出来る事を特徴としている釣用うき▲１０▼である。それは釣用うき▲１０▼の黒色部分の上位に半球の形状のステンレスカゴを固定したのである。それで釣用うき▲１０▼の形状の変化はない、よって図面は省略する。なお小型釣用うき▲１０▼ではうき本体▲１１▼の最底部の穴あき丸型重り▲１６▼は取り付けず、その変更として、うき本体▲１１▼の発泡玉の黒色の部分の上部の中心にパイプ▲１４▼をよけて、十文字に２本のステンレス線を通して、半球の形状のステンレスカゴを作成して、上から２番と３番のステンレスをカットして好適な大きさの正方形のえさを出し入れ口を作成し、発泡玉よりほんの少し大きさの半球の形状のステンレスカゴに仕上げて、発泡玉の中心に準備した十文字に２本のステンレス線を好適な長さにして直角にまげて、玉の左右の４箇所にステンレスカゴの外部にハンダ付けして固定する。えさのコマセとあたりうきを兼備出来る釣用うき▲１０▼の完成である。ステンレスカゴはすべてハンダ付けして作成するのである。なお、ステンレスカゴの底部の中心に釣用うき▲１０▼の最上部よりパイプ▲１４▼を通して接着剤で固定する。ステンレスカゴのカゴ目は地アミと沖アミが外に出れば良いのでかなり大きな目でも十分なので好適な大きさで良いのである。【００１３】  この実施形態の釣用うき▲１０▼によれば、本実施には発泡樹脂を素材として使用したのであるが、プラスチックの中空方法でも釣用うき▲１０▼を実施する事が可能であるのである。よって水面上で消えるおよび水面上で色の変わる釣用うき▲１０▼の実施について、その効果が発生する物質であれば、形状と材質も素材および製造法についても限定するものではない。本実施例からして、強度性、経済性、能率性を考えると、本実施例とした発泡ブライト中通し玉のごとく、鋳型で一体形成で素形を造り、そして色を着色後、ウレタン、エポキシなど好適な透明液体樹脂でコオーティング仕上げするとより好適である。なお、フイン▲２０▼をよりうすくするとより超高感度釣用うき▲１０▼に進化する能力アップにより好適である。
【図面の簡単な説明】
【図１】この発明の第一実施形態の釣用うきの使用状態を示す概略図である。
【図２】同断面図である。
【図３】同斜視図である。
【図４】同正面図である。
【図５】同平面図である。
【図６】同左側面図である。
【図７】同右側面図である。
【図８】同底面図である。
【符号の説明】
▲１０▼釣用うき
▲１１▼うき本体
▲１２▼黄色
▲１３▼黒色
▲１４▼パイプ
▲１５▼釣糸通し孔
▲１６▼重り
▲１７▼釣糸
▲１８▼うき止め小球
▲１９▼浮き止め
▲２０▼フイン
▲２１▼釣り針
【図１】
2005046130.tif 000003
【図２】
2005046130.tif 000004
【図３】
2005046130.tif 000005
【図４】
2005046130.tif 000006
【図５】
2005046130.tif 000007
【図６】
2005046130.tif 000008
【図７】
2005046130.tif 000009
【図８】
2005046130.tif 000010